(57)【要約】【課題】本発明は、スライドショーに付加された特殊効果や音声を容易に確認できる画像表示装置を提供することを目的とする。【解決手段】本発明の画像表示装置は、表示手段と、スライドショーとして表示すべき画像の指定を検知する画像指定手段と、前記表示手段での画像の表示の際に施す特殊効果についての選択を検知する効果選択手段と、前記画像指定手段で指定された画像を前記表示手段でスライドショーとして表示させるとともに、前記スライドショーの際の画像表示に前記効果選択手段で検知された特殊効果を施すスライドショー実行手段と、前記スライドショー実行手段がスライドショーを実行する前に、前記画像指定手段で指定された画像の一部を、前記スライドショーと同じ特殊効果を付して、スライドショー実行手段にプレビューとしてスライドショーを実行させるプレビュー実行手段と、を備える。【選択図】図４
2009213022.tif 000002
【特許請求の範囲】
【請求項１】
画像を表示可能な表示手段と、
スライドショーとして表示すべき画像の指定を検知する画像指定手段と、
前記表示手段での画像の表示の際に施す特殊効果についての選択を検知する効果選択手段と、
前記画像指定手段で指定された画像を前記表示手段でスライドショーとして表示させるとともに、前記スライドショーの際の画像表示に前記効果選択手段で検知された特殊効果を施すスライドショー実行手段と、
前記スライドショー実行手段がスライドショーを実行する前に、前記画像指定手段で指定された画像の一部を、前記スライドショーと同じ特殊効果を付して、スライドショー実行手段にプレビューとしてスライドショーを実行させるプレビュー実行手段と、
を備える画像表示装置。
【請求項２】
画像を表示可能な表示手段と、
音声を発生可能な音声発生手段と、
スライドショーとして表示すべき画像の指定を検知する画像指定手段と、
前記音声発生手段で発生させる音声の選択を検知する音声選択手段と、
前記画像指定手段で指定された画像を前記表示手段でスライドショーとして表示させるとともに、前記音声選択手段で検知された音声を前記音声発生手段によって発生させるスライドショー実行手段と、
前記スライドショー実行手段がスライドショーを実行する前に、前記画像指定手段で指定された画像の一部を、前記スライドショーと同じ音声を付して、スライドショー実行手段にプレビューとしてスライドショーを実行させるプレビュー実行手段と、
を備える画像表示装置。
【請求項３】
前記請求項１に記載の効果選択手段によって検知した特殊効果の選択情報を表示させる表示画面、または、前記請求項２に記載の音声選択手段によって検知した音声の選択情報を表示させる表示画面と、
前記プレビュー実行手段によって前記スライドショー実行手段にプレビューを実行させる場合、前記画像指定手段で指定された画像の一部を表示させる表示画面とを、
前記表示手段の一画面で実現する、請求項１または２に記載の画像表示装置。
【請求項４】
前記プレビュー実行手段によって前記スライドショー実行手段にプレビューを実行させる場合、前記表示手段に表示させる画像を、前記画像指定手段で指定された画像の縮小画像とする、請求項１〜３の何れか一項に記載の画像表示装置。
【請求項５】
画像を表示可能な表示手段と、
音声を発生可能な音声発生手段と、
スライドショーとして表示すべき画像の指定を検知する画像指定手段と、
前記表示手段での画像の表示の際に施す特殊効果についての選択を検知する効果選択手段と、
前記効果選択手段によって特殊効果の選択を検知した場合、前記効果選択手段が検知した特殊効果に基づいて、前記音声発生手段で発生させる音声を選択させる音声選択手段と、
前記画像指定手段で指定された画像を前記表示手段でスライドショーとして表示させるとともに、前記スライドショーの際の画像表示に前記効果選択手段で検知された特殊効果を施し、前記音声選択手段で検知された音声を前記音声発生手段によって発生させるスライドショー実行手段と、
前記スライドショー実行手段がスライドショーを実行する前に、前記画像指定手段で指定された画像の一部を、前記スライドショーと同じ特殊効果及び同じ音声を付して、スライドショー実行手段にプレビューとしてスライドショーを実行させるプレビュー実行手段と、
を備える画像表示装置。
【請求項６】
前記表示装置は、デジタルカメラ、ビデオカメラ、携帯電話、携帯端末のいずれかであることを特徴とする請求項１〜５の何れか一項に記載の画像表示装置。
【発明の詳細な説明】
【技術分野】
【０００１】
本発明は、特殊効果または／および音声を付してスライドショーを実行可能な画像表示装置に関する。本発明は、例えば、スライドショー機能を実行可能なデジタルスチルカメラやテレビジョン装置などに適用できる。
【背景技術】
【０００２】
従来の画像表示装置としては、下記の特許文献１に記載されるようなものが存在する。この画像表示装置は、メモリカードなどの記憶媒体に記憶された静止画と音声を組み合わせて静止画の音付きスライドショーを作成するものである。そして、作成されたスライドショーの音声および画像を含むＡＶＩファイルを実行（プレ再生）させ、必要ならば、記憶媒体に作成されたスライドショーのＡＶＩファイルを保存するようにしたものである。
【特許文献１】特開２００４−２９７４２４号公報
【発明の開示】
【発明が解決しようとする課題】
【０００３】
しかしながら、このような画像表示装置では、作成されたスライドショーの音声および画像を含むＡＶＩファイルをプレ再生するものであるため、スライドショー全体を含むＡＶＩファイルを読み出して再生しなければならず、作成されたスライドショーの確認までに時間がかかってしまう。
【０００４】
そこで、本発明は上記課題を解決するために、スライドショーに付された特殊効果や音声を容易に確認できる画像表示装置を提供することを目的とする。
【課題を解決するための手段】
【０００５】
本発明の画像表示装置は上記課題を解決するために、画像を表示可能な表示手段と、スライドショーとして表示すべき画像の指定を検知する画像指定手段と、前記表示手段での画像の表示の際に施す特殊効果についての選択を検知する効果選択手段と、前記画像指定手段で指定された画像を前記表示手段でスライドショーとして表示させるとともに、前記スライドショーの際の画像表示に前記効果選択手段で検知された特殊効果を施すスライドショー実行手段と、前記スライドショー実行手段がスライドショーを実行する前に、前記画像指定手段で指定された画像の一部を、前記スライドショーと同じ特殊効果を付して、スライドショー実行手段にプレビューとしてスライドショーを実行させるプレビュー実行手段と、を備える。
【０００６】
または画像を表示可能な表示手段と、音声を発生可能な音声発生手段と、スライドショーとして表示すべき画像の指定を検知する画像指定手段と、前記音声発生手段で発生させる音声の選択を検知する音声選択手段と、前記画像指定手段で指定された画像を前記表示手段でスライドショーとして表示させるとともに、前記音声選択手段で検知された音声を前記音声発生手段によって発生させるスライドショー実行手段と、前記スライドショー実行手段がスライドショーを実行する前に、前記画像指定手段で指定された画像の一部を、前記スライドショーと同じ音声を付して、スライドショー実行手段にプレビューとしてスライドショーを実行させるプレビュー実行手段と、を備える。なお、本発明におけるスライドショーは、複数の静止画又は動画を順番に自動で表示手段に表示するものをいう。
【０００７】
このようにすれば、スライドショーと同じ特殊効果または同じ音声を付して、スライドショー実行手段にプレビューを実効させるようにしたので、ユーザは付した特殊効果または音声を容易に確認することができるようになる。
【０００８】
また、好ましくは、前記効果選択手段によって検知した特殊効果の情報を表示させる表示画面、または、前記音声選択手段によって検知した音声の情報を表示させる表示画面と、
前記プレビュー実行手段によって前記スライドショー実行手段にプレビューを実行させる場合、前記画像指定手段で指定された画像の一部を表示させる表示画面とを、前記表示手段の一画面で実現する。
【０００９】
このようにすれば、設定画面と確認画面を一画面で実現できるので、ユーザは、スライドショーに付された特殊効果や音声の設定および確認を容易にできる。すなわち、ユーザの使いやすさを向上できる。
【００１０】
さらに、好ましくは、前記プレビュー実行手段によって前記スライドショー実行手段にプレビューを実行させる場合、前記表示手段に表示させる画像を、前記画像指定手段で指定された画像の縮小画像（例えば、サムネイル画像）とする、請求項１〜３の何れか一項に記載の撮像装置。
【００１１】
このようにすれば、主画像と比べてサムネイル画像などの縮小画像はデータサイズが小さいため、プレビュー手段によってプレビュー表示が行なわれる際、コントローラにおける画像データの読み出しや、液晶モニタにおける画像データの表示などを短時間で行なうことができる。
【発明の効果】
【００１２】
すなわち、本発明における画像表示装置によれば、プレビュー手段によってスライドショー手段にプレビューを実行させるようにしたので、ユーザは特殊効果や音声が付加されたスライドショーを容易に確認できるようになる。
【発明を実施するための最良の形態】
【００１３】
以下、本発明の一実施の形態について、図面を参照して説明する。
【００１４】
図１は、本実施の形態に係るデジタルカメラ１の構成を示すブロック図である。以下、具体的に構成を説明する。
【００１５】
光学系１１は、被写体からの光学信号を集光してＣＣＤイメージセンサー１２上に被写体像を形成する。ＣＣＤイメージセンサー１２は、被写体像を撮像して画像データを生成する撮像素子である。撮像素子としては、ＣＣＤイメージセンサー１２に替えてＣＭＯＳイメージセンサー等を用いることもできる。ＡＤコンバータ１３は、ＣＣＤイメージセンサー１２で生成された画像データをデジタルデータに変換する。
【００１６】
画像処理部１４は、デジタルデータに変換された画像データに対して所定の処理を施す。所定の処理としては、ガンマ変換、ＹＣ変換、電子ズーム処理、圧縮処理、伸張処理などが考えられるが、これに限定されるものではない。
【００１７】
バッファメモリ１５は、画像処理部１４で画像処理を行う際、および、コントローラ１７で制御処理を行う際に、ワークメモリとして作用する。バッファメモリ１５は、例えば、DRAMなどで実現可能である。
【００１８】
フラッシュメモリ１６は、内蔵メモリとして用いられる。フラッシュメモリ１６は、画像データが画像処理された撮影データ、音楽データ、特殊効果の情報であるエフェクト情報の他に、コントローラ１７の制御のためのプログラムや設定値などを記憶可能である。
【００１９】
コントローラ１７は、デジタルカメラ１全体を制御するための制御手段である。コントローラ１７は、マイクロコンピュータで実現してもよく、ハードワイヤードな回路で実現しても良い。要するに、本発明の制御手段は、自装置を制御できるものであればよい。
【００２０】
コントローラ１８は、メモリカード１９を着脱するためのスロットである。コントローラ１８は、メモリカード１９を制御する機能を有するようにしてもよい。メモリカード１９は、フラッシュメモリなどを内蔵する。メモリカード１９は、画像処理部１４によって処理された撮影データを格納可能である。撮影データには、静止画または動画などの主画像が含まれる。なお、撮影データには、主画像以外に、サムネイル画像などの縮小画像を保存するようにしてもよい。なおサムネイル画像は、画像処理部１４が主画像を縮小処理したものである。サムネイル画像は、例えば、１６０×１２０画素のサイズに縮小される。
【００２１】
タッチパネル２０は、液晶モニタと、マトリクススイッチを組み合わせて構成される。この液晶モニタは、主画像やデジタルカメラ１の各種設定等を表示する表示手段である。本発明の表示手段としては、液晶モニタに替えて、有機ELディスプレイなどを用いることもできる。また、このマトリクススイッチは、ユーザが表示手段によって表示された表示画像に対してタッチ操作を行なった場合、タッチ操作に対応する位置の情報（操作信号）をコントローラ１７に出力するタッチセンサである。なおタッチセンサは、マトリクススイッチに替わる方式として、抵抗膜を設ける抵抗膜方式や圧電素子を取り付けたガラス板を設ける表面弾性波方式を取ることができる。
【００２２】
操作部２１は、デジタルカメラ１の外装に取り付けられた操作部材の総称である。操作部２１としては、十字キーや押下釦等が考えられる。
【００２３】
スピーカー２２は、フラッシュメモリ１６やメモリカード１９に格納された音楽データを音声に変換し、出力する音声発生手段である。スピーカー２２は、本体が断面円形で末広がり形状のコーンと、コイルが配設された磁石とを備えて構成できる。
【００２４】
ここで本実施の形態におけるデジタルカメラ１の機能について説明する。このデジタルカメラ１は、画像指定手段と、効果選択手段と、音声選択手段と、スライドショー実行手段と、プレビュー実行手段と、を備える。以下、具体的に説明する。
【００２５】
画像指定手段は、スライドショーに表示すべき主画像をユーザに指定させ、ユーザの指定した画像を検知するものである。すなわち、画像指定手段はコントローラ１７によって実現可能である。この画像指定手段は、まず、図２（ｂ）のような表示画像を表示させる。図２（ｂ）には、予め分類分けされた撮影データ群「全画像」、「お気に入り」、「カテゴリー」が表示されている。そして画像指定手段は、タッチパネル２０が操作されることで出力した操作信号に基づき、どの撮影データ群が選択されたか判断する。ここで撮影データは、予め分類分けされた撮影データ群の識別情報が保持されて構成される。そのため、選択された撮影データ群の情報（識別情報）と、撮影データが保持する識別情報とを対応させることによって、表示すべき主画像の指定が検知できるようになる。なお本実施の形態では、メモリカード１９内の撮影データを対象として、表示すべき主画像の指定を検知できるようにしている。
【００２６】
効果選択手段および音声選択手段を含む選択手段は、スライドショーに付する特殊効果および音声についての選択を検知するものである。すなわち、効果選択手段および音声選択手段はコントローラ１７によって実現できる。この選択手段は、まず、液晶モニタに選択画像３０を表示する（図２（ｃ））。この選択画像３０には、選択可能な特殊効果（エフェクト）「Ｅ１」、「Ｅ２」、「Ｅ３」、「off」と、選択可能な音声（ＢＧＭ）「B１」、「Ｂ２」、「Ｂ３」、「off」が表示されている。なお、選択画像３０における特殊効果および音声の初期値は、特殊効果および音声を「off」に設定してある。そして、ユーザが液晶パネルに表示された選択画像をタッチ操作すると（図２（ｄ））、マトリクススイッチがタッチ操作された位置を検知し、この位置情報を選択手段に出力する。選択手段では、受け取った位置情報に対応する特殊効果または音声を判断する。これによって選択手段は、スライドショーに付する特殊効果および音声の選択を検知できるようにしている。なお、選択手段は、上記に限られず、スライドショーに付加する特殊効果または音声のいずれか一方の選択を検知できるものであればよい。また、選択手段は、特殊効果や音声と替えて、次の主画像が表示されるまでの時間を選択できるように変更してもよい。さらに、音声選択手段は、効果選択手段によって特殊効果の変更が検知された場合、変更された特殊効果に応じて音声を変更させるようにしてもよい。この場合、例えば、図５のように、特殊効果「Ｅ２」が選択された場合、音声を音声「Ｂ２」に変更する。このようにすれば、特殊効果にマッチした音声を一括して選択することができる。
【００２７】
スライドショー実行手段は、画像指定手段で指定された画像を液晶モニタに表示させるとともに、このスライドショーの際の画像表示に効果選択手段で検知された特殊効果を施し、音声選択手段で検知された音声をスピーカーによって発生させるものである。すなわち、スライドショー実行手段はコントローラ１７によって実現可能である。これによって、特殊効果および音声を付したスライドショーを実行可能にしている。
【００２８】
ここでスライドショー実行手段が、特殊効果および音声を付したスライドショーを実行する方法を説明する。
【００２９】
まず、スライドショー実行手段は、効果選択手段が検知した特殊効果に対応するエフェクト情報をフラッシュメモリ１６から読み出す。エフェクト情報には、例えば、図６のように、複数の表示方法が記載されている。また、スライドショー実行手段は、音声選択手段によって検知された音声に対応する音楽データをフラッシュメモリ１６から読み出す。加えて、スライドショー実行手段は、画像指定手段で指定された一枚の主画像をメモリカード１９から読み出す。なお主画像を読み出す順序は、特に限定されないが、本実施の形態では、撮影日が最も早いものから読み出すようにしている。
【００３０】
次にスライドショー実行手段は、フラッシュメモリ１６から読み出した音楽データをスピーカー２２に出力する。この際、スピーカー２２では、この音楽データをリピート再生する。またスライドショー実行手段は、メモリカード１９から読み出した主画像と、エフェクト情報の複数の表示方法からランダムに選択した一つの表示方法を表示手段に出力する。この際、表示手段では、取得した表示方法（例えば、スライドイン下から）に基づいて、主画像を表示する。
【００３１】
この後、スライドショー実行手段は、予め設定された時間（例えば、２秒）に基づいて、次に表示する主画像を読み出し、表示手段に出力する。この際、スライドショー実行手段は、エフェクト情報から再度ランダムに選択した一つの表示方法を、表示手段に出力する。これを繰り返すことによって、特殊効果および音声を付したスライドショーを可能にしている。
【００３２】
なお、予め設定された時間については、スライドショー実行前に変更できるようにしてもよい。この場合、予め設定された時間は、例えば、１秒、２秒、３秒、５秒の中から選択して選ぶようにする。また、エフェクト情報には、図７のように、複数の表示方法に加えて、次の主画像を表示するまでの時間（タイミング）を含むように構成してもよい。この場合、スライドショー実行手段は、予め設定された時間を無視し、エフェクト情報のタイミングに基づいて、次の主画像を読み出し、出力するとよい。
【００３３】
プレビュー実行手段は、スライドショー実行手段がスライドショーを実行する前に、画像指定手段で指定された画像の一部を、スライドショーと同じ特殊効果および同じ音声を付して、スライドショー実行手段にプレビュー（確認画面）としてスライドショーさせるものである。すなわち、プレビュー実行手段は、コントローラ１７で実現可能であり、特殊効果および音声を付したスライドショーのプレビューを再生可能にするものである。このプレビュー実行手段は、選択手段によって特殊効果又は音声の変更を検知すると、スライドショー実行手段にプレビューを実行させるものである。ここでスライドショー実行手段のプレビューは、上述した特殊効果および音声を付したスライドショーと比べ、液晶モニタに表示される主画像の枚数が少なくなるように構成される。すなわち、スライドショーの実行では、画像指定手段で指定された主画像をすべて表示するように制御されるが、プレビューの実行では、画像指定手段で指定された主画像の一部（例えば、５枚）を表示するように制御させている。なお、プレビューで再生される画像を、画像指定手段で指定された画像のサムネイル画像としてもよい。このようにすれば、サムネイル画像は主画像と比べてデータサイズが小さいため、プレビューが実行される際における、コントローラ１７の画像の読み出しや、液晶モニタの画像の表示などを短時間で行なうことができる。
【００３４】
ここで、本実施の形態では、図２（ｃ）のように、選択手段（効果選択手段・音声選択手段）が表示した選択画面（選択画像３０）と、プレビュー実行手段によってスライドショー実行手段がプレビューを表示させる表示画面とを、一画面上で実現するようにした。従って、設定画面と確認画面を一画面にすることができ、ユーザにとって使いやすさを向上できる。なお、この選択画面には、選択手段が特殊効果および音声の選択を検知した選択情報が表示されている。また、この実施の形態では、タッチパネルを用いた実施例であるため、選択画面と称しているが、これに限られず、特殊効果および音声の選択情報によって設定状況を確認できるものであればどのような方法であってもよい。例えば、選択されている特殊効果および音声が理解できるように、プレビュー画面上に選択情報を表示するようにしてもよい。
【００３５】
次に、このように構成されたデジタルカメラ１の動作について図２、３の画面遷移図と、図４のフローチャートを用いて説明する。このデジタルカメラ１には、「再生モード」「撮影モード」などを備えている。以下の処理は、このモードが「再生モード」に変更された場合に処理を開始するものである。
【００３６】
まず、コントローラ１７が液晶モニタに図２（ａ）の表示画面を表示する。そしてコントローラ１７は、「スライドショー再生」が選択されたか否かを判断する（Ｓ１）。
【００３７】
コントローラ１７は、「スライドショー再生」が選択されたと判断すると、液晶モニタに図２（ｂ）の表示画面を表示する。一方、コントローラ１７は、「スライドショー再生」が選択されない場合、ステップＳ１の処理を繰り返す。なお、他の処理、例えば、「カテゴリー再生」が選択された場合は、他のフローに移行するが、本発明とは関係ないため、省略する。
【００３８】
図４に戻って、コントローラ１７によって図２（ｂ）が表示された場合は、コントローラ１７は、スライドショーで再生する撮影データ群の選択を受け付ける（Ｓ２）。ここで図２（ｂ）では、ユーザによって「全画像」が選択された場合の例を説明する。
【００３９】
次に、コントローラ１７は液晶モニタに図２（ｃ）の表示画面を表示する。この表示画面には、特殊効果および音声の選択画面が含まれている。そしてコントローラ１７は、特殊効果又は音声が変更されたか否かを判断する（Ｓ３）。すなわち、ユーザが選択画面の特殊効果又は音声をタッチ操作したか否かを判断する。
【００４０】
そしてコントローラ１７は、特殊効果又は音声が変更された場合（例えば、図２（ｄ）で特殊効果Ｅ２がタッチ操作された場合）、どの特殊効果およびどの音声が選択されているかを検知する。その後、検知された特殊効果（Ｅ２）および音声（ｏｆｆ）に基づいて、コントローラ１７が、特殊効果（Ｅ２）を付したスライドショーの一部を再生する制御を行なう（Ｓ４）。すなわち、液晶モニタが特殊効果（Ｅ２）を付したスライドショーのプレビューを再生する（図３（ｅ））。一方、特殊効果又は音声が変更されない場合、ステップＳ５に移行する。
【００４１】
次に、コントローラ１７は、液晶モニタの表示画面に表示された「開始」表示３２がタッチ操作されたか否かを判断する（Ｓ５）。
【００４２】
コントローラ１７は、表示画面の「開始」表示３２がタッチ操作された場合、特殊効果および音声を付したスライドショーを開始する（Ｓ６、図３（ｇ））。一方、コントローラ１７は、表示画面の「開始」表示３２がタッチ操作されない場合、ステップＳ３に移行する。
【００４３】
これによって、特殊効果および音声を付したスライドショーの再生と、特殊効果および音声を付したスライドショーのプレビューの再生を可能にしている。
【００４４】
なお、本実施の形態では、ステップＳ３において、特殊効果又は音声が変更されたか否かを判断し、変更された場合、プレビュー表示を行なうようにしたが、これに限られない。例えば、図８のように、「プレビュー開始」表示４０を表示画面に設け、コントローラ１７は、この「プレビュー開始」表示４０がタッチ操作されたことを判断した場合、プレビューの再生を行なうようにしてもよい。
【００４５】
この場合のデジタルカメラ１の動作について、図９のフローチャートを用いて説明する。
【００４６】
まず、コントローラ１７が、液晶モニタに図２（ａ）を表示し、「スライドショー再生」が選択されたか否かを判断する（Ｔ１）。
【００４７】
そして、「スライドショー再生」が選択された場合、コントローラ１７は、液晶モニタに図２（ｂ）を表示し、スライドショーで再生する撮影データ群の選択を受け付ける（Ｔ２）。一方、「スライドショー再生」が選択されない場合、ステップＴ１の処理を繰り返す。
【００４８】
次に、コントローラ１７は、液晶モニタに図８（ｘ）の表示画面を表示する。この表示画面には、特殊効果および音声の選択画像３０と、「開始」表示３２と、「プレビュー開始」表示４０とが含まれている。そしてコントローラ１７は、「開始」表示３２がタッチ操作されたか否かを判断する。（Ｔ３）コントローラ１７は、表示画面の「開始」表示３２がタッチ操作された場合、スライドショーを開始する（Ｔ４）。スライドショーを再生し終わると、処理を終了し、最初の画面に戻る。
【００４９】
一方、コントローラ１７は、表示画面の「開始」表示３２がタッチ操作されない場合、「プレビュー開始」表示４０がタッチ操作されていないか判断する（Ｔ５）。
【００５０】
コントローラ１７は、「プレビュー開始」表示４０がタッチ操作されない場合、ステップＴ３に移行する。一方、コントローラ１７は、「プレビュー開始」表示４０がタッチ操作された場合、選択されている特殊効果および音声を判断する（Ｔ６）。そして、選択された特殊効果および音声に基づいて、プレビューを再生する制御を行なう（Ｔ７）。すなわち、液晶モニタが特殊効果（Ｅ２）付きスライドショーのプレビューを再生する。この後、ステップＴ３の処理に移行する。なお、コントローラ１７による特殊効果および音声の選択の変更の検知は、ステップＴ２の処理後、ステップＴ３で「開始」表示３２がタッチ操作されるまで、逐次行なうようにする。すなわち、ユーザは「開始」表示３２をタッチ操作するまで、特殊効果および音声を変更できる。
【００５１】
これによって、特殊効果および音声を付したスライドショーの再生と、特殊効果および音声を付したスライドショーのプレビューの再生を可能にしている。
【００５２】
上述したように本実施の形態におけるデジタルカメラ１は、表示手段と、音声発生手段と、画像指定手段と、効果選択手段と、音声選択手段と、スライドショー実行手段と、プレビュー実行手段と、を備えるようにしたので、ユーザは特殊効果や音声が付されたスライドショーを容易に確認できるようになる。
【００５３】
なお、本発明は上記実施の形態に限定されることなく、種々の態様で実施できる。
【００５４】
例えば、上記実施の形態では、タッチパネル上で入力を受け付け、特殊効果または音声を選択できるようにしているが、これに限られず、デジタルカメラの外装に設けられる操作部材に基づいて、特殊効果または音声を選択するようにしてもよい。
【００５５】
また、特殊効果や音声の変更をプレビュー表示で確認できるように構成しているが、これに限られず、次の主画像が表示されるまでの時間をプレビュー表示で確認できるようにしてもよい。
【００５６】
さらに、特殊効果のエフェクト情報を予めフラッシュメモリに保存しているが、これに限られない。例えば、一つ一つの画像データの表示に表示方法とタイミングを設定できるようにしてもよい。
【００５７】
加えて、本実施の形態では、画像切り替えの際の特殊効果に言及しているが、これに限られず、表示中の特殊効果であってもよい。
【００５８】
さらに、本実施の形態の画像指定手段は、ユーザに表示すべき主画像を指定させ、ユーザの指定を検知するものであるが、これに限られず、予め指定されている主画像を検知するようにしてもよい。
【００５９】
また、本実施の形態のデジタルカメラ１は、静止画又は動画などの主画像をスライドショーとして表示するようにしているが、これに限られず、表示手段に表示できるものであればどのような画像であってもよい。
【産業上の利用可能性】
【００６０】
本発明は、スライドショー再生機能を備える画像表示装置に適用可能である。具体的には、デジタルカメラ、ムービー、カメラ付き携帯端末等に利用できる。
【図面の簡単な説明】
【００６１】
【図１】本実施の形態にかかるデジタルカメラの構成を示すブロック図
【図２】本実施の形態にかかる液晶モニタに表示される表示画像の遷移を説明する図
【図３】本実施の形態にかかる液晶モニタに表示される表示画像の遷移を説明する図
【図４】本実施の形態にかかるデジタルカメラの動作を説明するためのフローチャート
【図５】他の実施の形態にかかる表示画面の遷移を説明する図
【図６】本実施の形態にかかるエフェクト情報を説明するための図
【図７】他の実施の形態にかかるエフェクト情報を説明するための図
【図８】他の実施の形態にかかる「プレビュー開始」表示を説明するための図
【図９】他の実施の形態にかかる「プレビュー開始」表示をさせるデジタルカメラの動作を説明するためのフローチャート
【符号の説明】
【００６２】
１    デジタルカメラ
１１    光学系
１２    ＣＣＤイメージセンサー
１３    ＡＤコンバータ
１４    画像処理部
１５    バッファメモリ
１６    フラッシュメモリ
１７    コントローラ
１８    カードスロット
１９    メモリカード
２０    タッチパネル
２１    操作部
２２    スピーカー
３０    選択画像
３１    プレビュー表示領域
３２    「開始」表示
４０    「プレビュー開始」表示
【図１】
2009213022.tif 000003
【図２】
2009213022.tif 000004
【図３】
2009213022.tif 000005
【図４】
2009213022.tif 000006
【図５】
2009213022.tif 000007
【図６】
2009213022.tif 000008
【図７】
2009213022.tif 000009
【図８】
2009213022.tif 000010
【図９】
2009213022.tif 000011